(57)【要約】【課題】本発明は受付端末装置によって写真印刷の受付を行い、写真の印刷及び販売を行う印刷販売システムに関し、特に料金の精算を簡単かつ効率よく行い、臨機応変に印刷順位を変更でき、利用者の便宜を図った印刷処理を行う印刷販売システムを提供するものである。【解決手段】本発明は受付端末装置１によって写真印刷の受付を行い、受付番号を取得したユーザがレジカウンタに向かい、料金精算を行うと、店員から受付番号に対応した「引き換え札」を渡され。店員は受付番号に対応した「鍵札」をプリンタ装置２の鍵穴に装着して印刷処理を行う。この間、「鍵札」に設けられたクリップによってレシートが保持され、印刷終了後には印刷物を袋詰めしてクリップで止めて保持する。したがって、受付番号のユーザが印刷物を受け取りに来るまで印刷物は受付番号に対応して保持され、正確に注文したユーザに渡される。【選択図】　図５
2004005064.tif 000002
【特許請求の範囲】
【請求項１】
写真印刷の受付を行う受付端末装置と、
該受付の完了によって前記端末装置から出力され、受付番号が記述されたレシートと、
該レシートに基づいて精算を行った際発行され、前記レシートに記述された受付番号に対応する番号が記述された引き換え札と、
挟持部が設けられ、前記レシートに記述された受付番号に対応する番号が記述された鍵札と、
該鍵札が装着されると印刷処理が可能となり、前記受付端末装置から供給される印刷データに従って写真印刷を行う印刷装置と、
を有することを特徴とする印刷販売システム。
【請求項２】
前記挟持部は、前記印刷装置によって印刷出力された印刷物を挟持することを特徴とする請求項１記載の印刷販売システム。
【請求項３】
前記印刷装置には前記鍵札を装着する鍵穴部が複数設けられ、該鍵穴部に表示された受付番号に対応する鍵穴部に前記鍵札を装着することを特徴とする請求項１、又は２記載の印刷販売システム。
【請求項４】
前記鍵札の挿入部には形状の異なる凹凸が形状され、前記受付番号に対応して異なる凹凸の鍵札を選択して使用することを特徴とする請求項１記載の印刷販売システム。
【請求項５】
写真印刷の受付を行う受付端末装置と、
該受付の完了によって前記受付端末装置から出力され、受付番号が記録されたタグを有するレシートと、
前記タグを有するレシートが装着されると印刷処理が可能となり、前記受付端末装置から供給される印刷データに従って写真印刷を行う印刷装置と、
を有することを特徴とする印刷販売システム。
【請求項６】
写真印刷の受付を行う受付端末装置と、
該受付の完了によって該端末装置から出力され、受付番号が記録されたタグと、
該タグの記録を読み取るタグリーダを使用して料金の精算を行うレジスタと、
前記タグが装着されると印刷処理が可能となり、前記受付端末装置から供給される印刷データに従って写真印刷を行う印刷装置と、
を有することを特徴とする印刷販売システム。
【請求項７】
写真印刷の受付を行う受付端末装置と、
該受付の完了によって前記受付端末装置から出力され、受付番号が記録されたＩＣカードと、
該ＩＣカードの記録を読み取り、料金の精算を行うレジスタと、
前記ＩＣカードが装着されると印刷処理が可能となり、該ＩＣカードに記録された情報に従って写真印刷を行う印刷装置と、
を有することを特徴とする印刷販売システム。
【請求項８】
写真印刷の受付を行う受付端末装置と、
該受付の完了によって前記受付端末装置から出力され、受付番号が記録された磁気カードと、
該磁気カードの記録を読み取り、料金の精算を行うレジスタと、
前記磁気カードが装着されると印刷処理が可能となり、前記受付端末装置から供給される印刷データに従って写真印刷を行う印刷装置と、
を有することを特徴とする印刷販売システム。
【請求項９】
前記ＩＣカード、又は磁気カードの使用に従って前記レジスタはポイント加算を行うことを特徴とする請求項７、又は８記載の印刷販売システム。
【発明の詳細な説明】
【０００１】
【発明の属する技術分野】
本発明は受付端末装置によって写真印刷の受付を行い、写真の印刷及び販売を行う印刷販売システムに関する。
【０００２】
【従来の技術】
今日、写真自動販売機等の写真印刷装置が提案されている。例えば、街に写真自動販売機を設置し、利用者は撮影した写真画像を記録媒体に記録し、該記録媒体をスロット等に装着して読み込ませ、印刷画像やサイズ、枚数等を指定して印刷出力させる。
【０００３】
このような装置において、料金の支払い方法には以下の方式がある。例えば、予めプリペイドカードを購入し印刷料金を減算するプリペイドカード方式や、クレジットカードを使用し、料金の引き落としを行うクレジットカード方式、更には直接現金を投入する現金支払い方式である。
【０００４】
一方、上記写真印刷装置において、プリント開始は、例えば精算金額決済後、自動的に印刷が開始される方式や、利用者がプッシュボタン等を押下してスタートさせる方式等が採用されている。
【０００５】
【発明が解決しようとする課題】
しかしながら、上記従来の方式では以下の問題がある。
先ず、料金の支払方式について、プリペイドカード方式ではカードに残金が無い場合使用することができない。また、偽装カード等を作成される危険もある。また、クレジットカード方式の場合、信販会社と間で与信を行う必要があり、認証システムが複雑であり、システムが大規模になる。さらに、現金支払い方式の場合、写真印刷装置に釣り銭がない場合には利用できないか、又は利用者に損失を与えることになる。
【０００６】
一方、印刷開始が自動的な場合でも、又はプッシュボタン方式の場合でも、前の利用者が利用している間、次の利用者は待たなければならない。特に、前の利用者が大量の印刷を行う場合には受付することもできない。
そこで、本発明は上記課題を解決するため、料金の精算を簡単かつ効率よく行い、与信の必要性や偽造の心配を無くし、利用者が損出を被ることがない印刷販売システムを提供するものであり、又印刷の順番も受付番号順に限らず、臨機応変に利用者の便宜を図った印刷処理を行う印刷販売システムを提供するものである。
【０００７】
【課題を解決するための手段】
上記課題は本発明の請求項１の態様によれば、写真印刷の受付を行う受付端末装置と、該受付の完了によって前記受付端末装置から出力され、受付番号が記述されたレシートと、該レシートに基づいて精算を行った際発行され、前記レシートに記述された受付番号に対応する番号が記述された引き換え札と、挟持部が設けられ、前記レシートに記述された受付番号に対応する番号が記述された鍵札と、該鍵札が装着されると印刷処理が可能となり、前記受付端末装置から供給される印刷データに従って写真印刷を行う印刷装置とを有する印刷販売システムを提供することによって達成できる。
【０００８】
ここで、上記受付端末装置には、例えばＣＤ−Ｒやフロッピー（登録商標）ディスク等の記録媒体を装着するスロットが設けられ、該記録媒体から写真画像のデータが読み出される。ユーザは、例えば印刷を希望する写真、及び印刷枚数等を指定し、購入申し込みを行うと受付番号が記述されたレシートが発行される。
【０００９】
ユーザはこのレシートをレジカウンタの店員に提示し、料金を支払い、引き換え札を貰う。また、レシートに記述された受付番号に対応する鍵札を使用し、印刷装置の鍵穴に鍵札を装着すると、印刷装置は上記受付端末装置から選択した写真の画像データが供給され印刷出力される。
【００１０】
このように構成することによって、出力された印刷物を挟持部で挟持し、保存することによって、当該受付番号のユーザに時間を経過して印刷物を渡しても誤って異なる印刷物を渡すことがない。
請求項２の記載は、請求項１記載の発明において、前記挟持部は、例えば前記印刷装置によって印刷出力された印刷物を挟持する構成である。
【００１１】
上記挟持部は、例えばクリップであり、上記印刷物を挟持し、受付番号のユーザが受け取りに来るまで待つ。このように構成することによって、ユーザが受け取りに来るまで確実に印刷物を受付番号に対応した鍵札に保持することができる。
【００１２】
請求項３の記載は、請求項１又は２の記載において、前記印刷装置には前記鍵札を装着する鍵穴部が複数設けられ、該鍵穴部に表示された受付番号に対応する鍵穴部に前記鍵札を装着する構成である。
このように構成することによって、受付番号毎に写真画像の印刷を行うことができ、例え受付端末装置によって後に受付を行ったユーザの印刷であっても、先に印刷処理を行うことができる。
【００１３】
請求項４の記載は、請求項１又は２の記載において、前記鍵札の挿入部には形状の異なる凹凸が形状され、前記受付番号に対応して異なる凹凸の鍵札を選択して使用する構成である。
このように構成することによって、誤って異なる受付番号の写真印刷を行うことを防止できる。
【００１４】
上記課題は本発明の請求項５の態様によれば、写真印刷の受付を行う受付端末装置と、該受付の完了によって前記受付端末装置から出力され、受付番号が記録された特定のタグを有するレシートと、前記タグを有するレシートが装着されると印刷処理が可能となり、前記受付端末装置から供給される印刷データに従って写真印刷を行う印刷装置とを有する印刷販売システムを提供することによって達成できる。
【００１５】
本例は特定のタグを使用する構成であり、このタグは例えばＲＦＩＤタグであり、受付番号等の情報を記録し、電波によってレジスタ等と通信可能なアンテナ機能を有する。
また、本発明においても、受付端末装置にはＣＤ−Ｒやフロッピー（登録商標）ディスク等の記録媒体を装着するスロットが設けられ、該記録媒体から写真画像のデータが読み出され、ユーザは印刷を希望する写真や印刷枚数等を指定し、購入申し込みを行うと受付番号が記述された上記タグが付加されたレシートが発行される。
【００１６】
レシートに付加されたタグの情報はレジスタによって読み出され、料金の支払を行う。したがって、このように構成することによって、ＲＦＩＤタグ等を使用してより迅速に写真購入を行うことができる。尚、上記レジスタはＰＯＳレジスタであり、写真印刷についてもセンタによる管理が可能となる。
【００１７】
上記課題は本発明の請求項６の態様によれば、写真印刷の受付を行う受付端末装置と、該受付の完了によって前記受付端末装置から出力され、受付番号が記録されたタグと、該タグの記録を読み取るタグリーダを使用して料金の精算を行うレジスタと、前記タグが装着されると印刷処理が可能となり、前記受付端末装置から供給される印刷データに従って写真印刷を行う印刷装置とを有する印刷販売システムを提供することによって達成できる。
【００１８】
このように構成することによって、レジスタにタグリーダの機能が無い場合でもタグに記録された情報を読み出すことができ、レジスタによって料金精算を行うことができる。
上記課題は本発明の請求項７の態様によれば、写真印刷の受付を行う受付端末装置と、該受付の完了によって前記受付端末装置から出力され、受付番号が記録されたＩＣカードと、該ＩＣカードの記録を読み取り、料金の精算を行うレジスタと、前記ＩＣカードが装着されると印刷処理が可能となり、該ＩＣカードに記録された情報に従って写真印刷を行う印刷装置とを有する印刷販売システムを提供することによって達成できる。
【００１９】
本発明は上記ＲＦＩＤタグに代えて、ＩＣカードを使用する構成であり、このように構成することによっても、受付番号毎に写真画像の印刷を行うことができ、例え受付端末装置によって後に受付を行ったユーザの印刷であっても、先に印刷処理を行うことができる。
【００２０】
上記課題は本発明の請求項８の態様によれば、写真印刷の受付を行う受付端末装置と、該受付の完了によって前記受付端末装置から出力され、受付番号が記録された磁気カードと、該磁気カードの記録を読み取り、料金の精算を行うレジスタと、前記磁気カードが装着されると印刷処理が可能となり、前記受付端末装置から供給される印刷データに従って写真印刷を行う印刷装置とを有する印刷販売システムを提供することによって達成できる。
【００２１】
本発明は上記ＩＣカードに代えて、磁気カードを使用する構成であり、このように構成することによっても、受付番号毎に写真画像の印刷を行うことができ、例え受付端末装置によって後に受付を行ったユーザの印刷であっても、先に印刷処理を行うことができる。
【００２２】
請求項９の記載は、請求項７又は８の記載において、前記ＩＣカード、又は磁気カードの使用に従って前記レジスタはポイント加算を行い構成である。
このように構成することによって、写真印刷を行ったユーザは特典を受け、販売の促進に繋がる。
【００２３】
【発明の実施の形態】
以下、本発明の実施の形態を図面を参照しながら説明する。
＜第１の実施形態＞
図１は本実施形態の印刷販売システムのシステム構成図であり、図２は印刷販売システムの構成を示す外観接続図である。本例の印刷販売システムは受付端末装置１とプリンタ装置２、及びこれらの装置を接続するイーサネット（登録商標）（例えば、１００ＢＡＳＥ／Ｔ）で構成されている。尚、受付端末装置１及びプリンタ装置２には、それぞれＡＣコンセントを通して電源供給が行われる。また、本システムは、例えばコンビニエンスストアやガソリンスタンド等に構築され、受付端末装置１は店内のユーザが利用し易い場所に設置され、プリンタ装置２はカウンタ内の店員が操作し易い位置に設置されている。
【００２４】
図３は上記構成の受付端末装置１の外観図である。同図において、３は操作表示部であり、４はメモリカードリーダであり、５は媒体出力部である。操作表示部３はタッチパネル付きのカラー液晶表示装置であり、必要なキー表示が行われる。また、操作表示部３には写真画像を選択する際のサムネイル表示等が行われる。
【００２５】
メモリカードリーダ４は、メモリーカード、コンパクトフラッシュ（登録商標）（ＣＦ）、メモリースティック（ＭＳ）、フロッピー（登録商標）ディスク（ＦＤＤ）、ＣＤ（コンパクトディスク）、スマートメディア等の各種スロットを有し、写真画像が記録されたメディアが対応するスロットに挿入される。
【００２６】
媒体出力部５は受付を行った際の購入情報が記録されたレシートを出力する出力部であり、当該レシートには受付番号や、サイズ、枚数、金額等のデータが記述される。
図４は上記外観を有する受付端末装置１の内部回路構成を説明する図である。受付端末装置１はメインコントローラ６、及び上記操作表示部３、メモリカードリーダ４、媒体出力部５に対応する部材又は回路で構成されている。例えば、操作表示部３はタッチＬＣＤ３ａが対応し、このタッチＬＣＤ３ａにガラス板等を設置した状態が操作表示部３である。ユーザはタッチＬＣＤ３ａに表示されるキーを操作してキー操作信号をメインコントローラ６に送る。メインコントローラ６は上記キー操作信号を操作入力制御に基づいて処理する。
【００２７】
また、メモリカードリーダ４は複数のカードアダプタ４ａ〜４ｄで構成され、ＵＳＢ　ＨＵＢ（ｕｎｉｖｅｒｓａｌ　ｓｅｒｉａｌ　ｂｕｓ　ＨＵＢ）８を介してメインコントローラ６のＵＳＢポートに接続されている。カードアダプタ４ａ〜４ｄには、対応するメモリカードが装着され、メインコントローラ６の印刷データ作成制御に従って写真画像が読み出され、例えば内蔵ハードディスク（ＨＤＤ）６ａに記憶される。また、内蔵ハードディスク（ＨＤＤ）６ａに記憶された写真画像を操作表示部３に表示する際には、メインコントローラ６の表示画像制御に基づいて行われる。
【００２８】
媒体出力部５から出力される媒体には、レシートの他に、ＲＦＩＤタグ、ＩＣカード、磁気カードがあり、受付端末装置１の内部にはレシートプリンタ１０、ＲＦＩＤタグ発行機１１、ＩＣカード発行機１２、磁気カード発行機１３が設けられている。但し、本例においては、レシートプリンタ１０が使用され、レシートプリンタ１０から印刷出力されるレシートが媒体出力部５から出力されるものとして説明する。また、レシートプリンタ１０以外の装置については、第２の実施形態以降の説明において使用する。
【００２９】
一方、メインコントローラ６には更に、スピーカ１４も取り付けられ、メインコントローラ６から音声信号が出力される。スピーカ１４から出力される音声は、例えば受付端末装置１の操作方法の説明等であり、音声出力制御に基づいてユーザに報音する。また、メインコントローラ６にはフロッピー（登録商標）ディスク（ＦＤＤ）１５やＣＤ−Ｒ（ＣＤ−ＲＷ）１６のドライバも設けられ、メディア入力制御に基づいてドライブ制御される。
【００３０】
さらに、メインコントローラ６に接続されたＰＨＳ（ｐｅｒｓｏｎａｌ　ｈａｎｄｙ　ｐｈｏｎｅ　ｓｙｓｔｅｍ）１７は、受付端末装置１をネットワークを介して管理する為の構成であり、不図示のセンタサーバと通信を行い、受付端末装置１のメンテナンスや装置の使用状態の管理、プリンタ装置２の消耗品の残存状態、故障状態の報告等を行う。
【００３１】
尚、メインコントローラ６は通信データ制御に基づいて前述のプリンタ装置２との間で通信を行い、ユーザが指定した購入情報や写真画像情報等をプリンタ装置２に送信する。また、上記タッチＬＣＤ３ａやメインコントローラ６、レシートプリンタ１０等にはスイッチング電源２０から電力供給が行われる。例えば、スイッチング電源２０から＋２４Ｖの電源がレシートプリンタ１０に供給され、＋１２Ｖ及び＋３Ｖの電源がメインコントローラ６に供給される。勿論、スイッチング電源２０に供給される電力は、ＡＣ１００Ｖのブレーカ２１を通して供給される。
【００３２】
一方、図５はプリンタ装置２の外観図である。プリンタ装置２には４箇所の鍵札挿入口（鍵穴部）２２ａ〜２２ｄ、液晶表示部２３、印刷物取出口２４、印刷終了音出力部２５が設けられている。鍵札挿入口（鍵穴部）２２ａ〜２２ｄには後述する鍵札の装着が行われ、制御パネル２３には印刷情報の表示が行われる。また、印刷物取出口２４には指定された枚数の写真出力が行われ、印刷終了音出力部２５は写真印刷の終了を店員に音声によって知らせる構成である。
【００３３】
図６は上記外観構成のプリンタ装置２の内部回路構成を説明する図である。プリンタ装置２はメインコントローラ２６、上記制御パネル２３及び印刷終了音出力部２５、写真プリンタ２７ａ、２７ｂ等で構成されている。メインコントローラ２６は前述の受付端末装置１との間でデータの通信制御を行い、イーサネット（登録商標）を介して受付端末装置１から写真画像情報や購入情報を受信する。受付端末装置１から受信した写真画像情報は、例えば一旦内蔵ＨＤＤ２６ａに格納される。
【００３４】
写真プリンタ２７ａ、２７ｂは、メインコントローラ２６のプリンタ制御に基づいて内蔵ＨＤＤ２６ａから読み出された写真画像データの印刷処理を行う。
また、プリンタ装置２には装置内の温度を冷却するためファン２８ａ、２８ｂが配設され、メインコントローラ２６の制御によって駆動制御される。また、プリンタ装置２内においても、上記制御パネル２３やメインコントローラ２６、写真プリンタ２７ａ、２７ｂ等にはスイッチング電源２９から電力供給が行われ、ＡＣ１００Ｖのブレーカ３０を通して供給される電力を上記各部に供給する。
【００３５】
尚、上記図５に示す液晶表示部２３の構成、及び表示例については後述する処理動作において説明する。
以上の構成の写真の印刷販売システムにおいて、以下にその処理動作を説明する。
【００３６】
図７は本例の処理動作を説明するフローチャートである。先ず、本例のシステムが構築された店舗に入店したユーザは、受付端末装置１に近づき、メモリカードリーダ４に保有するカードを挿入し、データを読み込ませる（ステップ（以下、Ｓで示す）１）。例えば、写真画像を記録したフロッピー（登録商標）ディスク（ＦＤＤ）である場合、対応するスロットにフロッピー（登録商標）ディスクを挿入する。また、写真画像を記録したＣＤ−Ｒである場合には、対応するスロットに当該ＣＤ−Ｒを挿入し、データを読み込ませる。
【００３７】
次に、操作表示部３に表示される指示に従ってタッチキーを操作し、メインコントローラ６の制御によって操作表示部３に写真画像をサムネイル表示し、印刷を希望する写真画像の選択を行う（Ｓ２）。また、この時同時に印刷サイズと印刷枚数を指定する。メインコントローラ６は注文に対する料金を計算し、上記写真画像の指定と、サイズ及び枚数の指定を含めて購入情報とする。
【００３８】
このようにして、必要な指定を行うと、次にユーザは印刷決定の指示を行う（Ｓ３）。この指示により、メインコントローラ６はレシートプリンタ１０を駆動し、レシートを発行する（Ｓ４）。図８はこの時発行されるレシートの例であり、受付番号と上記購入情報（印刷枚数やサイズ等の情報）が印刷されている。また、上記情報のバーコード印刷も行われる。尚、上記購入情報及び受付番号の情報はイーサネット（登録商標）を介してプリンタ装置２に送られ、プリンタ装置２の制御パネル２３に受付番号の表示が行われる。
【００３９】
次に、購入受付を行ったユーザは受付端末装置１からレシートを受け取り、印刷料金を支払う為、レシートを持ってレジカウンタに向かい（Ｓ５）、店員にレシートを提示する。
店員側はレシートを受け取り（Ｓ６）、レシートに記載された受付番号を確認し、料金をユーザに提示して、料金を受け取る（Ｓ７、Ｓ８）。そして、店員は受付番号と同じ「引き換え札」をユーザに手渡す（Ｓ９）。例えば、レシートに記載された受付番号が“１”である場合、“１”の「引き換え札」を手渡す（この場合、ユーザ側では料金を支払い、「引き換え札」を受け取ることになる（Ｓ１０））。
【００４０】
尚、図９は「引き換え札」の例である。また、ユーザはこの「引き換え札」を受け取ると、例えば店舗内で買い物を行い、写真印刷が完了するのを待つ（Ｓ１１）。
一方、店員はプリンタ装置２に向かい、受付番号と同じ「鍵札」を使用して鍵札挿入口（鍵穴部）に挿入する（Ｓ１２）。図１０は「鍵札」の例であり（同図（ａ）は正面図、同図（ｂ）は側面図）、受付番号（例えば、上記“１”）が記述され、クリップ３２が取り付けられている。また、上記鍵札挿入口（鍵穴部）２２ａ〜２２ｄは、鍵札挿入口２２ａが受付番号“１”の「鍵札」の挿入口であり、鍵札挿入口２２ｂが受付番号“２”の「鍵札」の挿入口であり、鍵札挿入口２２ｃが受付番号“３”の「鍵札」の挿入口であり、鍵札挿入口２２ｄが受付番号“４”の「鍵札」の挿入口である。
【００４１】
また、図１１は制御パネル２３の表示状態を示す図であり、この時鍵札挿入口２２ａに対応する制御パネル２３ａには受付番号“１”（０００１）が表示されている。したがって、鍵札挿入口２２ａに矢印方向から「鍵札」を挿入し、鍵札挿入口２２ａに受付番号“１”の「鍵札」をセットする。
【００４２】
上記操作によってプリンタ装置２から受付端末装置１に対して受付番号“１”の購入情報及び写真画像データの読み出し指示が行われる。この指示に従って、例えば内蔵ＨＤＤ６ａに記憶された購入情報及び写真画像データが読み出され、プリンタ装置２に送られる。メインコントローラ２６は、写真プリンタ２７ａ、２７ｂに印刷指示を送り、写真画像の印刷処理を行う。
【００４３】
また、上記印刷処理中、「鍵札」に設けられたクリップ３２には前述のレシート（請求書）を挟んでおき、注文内容の確認を確実に行えるようにする。
次に、店員は印刷終了音出力部２５から印刷の終了音が鳴るのを待ち（Ｓ１３）、終了音が鳴ると、印刷処理が完了したことを知る。また、この終了音は「鍵札」を鍵札挿入口２２ａから引き抜くことで停止する。したがって、店員は写真印刷の終了を確実に認識でき、印刷物取出口２４から迅速に印刷物を取り出し、例えば袋詰めして前述のクリップに挟む（Ｓ１４）。
【００４４】
次に、受付番号（例えば、受付番号“１”）のユーザを呼び（Ｓ１５）、クリップ２３を外し、印刷物をユーザに手渡す（Ｓ１６）。一方、ユーザは印刷処理が終わるのを待ち（Ｓ１７）、店員の呼出しによってレジカウンタに向かい、印刷物を受け取る（Ｓ１８）。
【００４５】
以上のように処理することにより、例えばユーザが料金を支払った後店舗を離れ、時間が経過した場合でも、誤りなくユーザに印刷物手渡すことができる。また、交代時間などで店員が交代しても、特別な引継ぎを行うことなく、「引き換え札」の受付番号と「鍵札」の受付番号を確認し、誤りなくユーザに印刷物を手渡すことができる。
【００４６】
尚、上記説明では受付番号“１”のユーザの印刷を最初に行ったが、例えば受付端末装置１によって複数のユーザの印刷受付を行った後、最初にレジカウンタに訪れたユーザが受付番号“２”や、受付番号“３”の場合もある。この場合でも、店員は対応する番号の「引き換え札」を渡し、受付番号“１”の印刷処理を行う前に前に来た受付番号“２”や“３”のユーザの写真印刷を行う。
【００４７】
このように処理することによって、前の受付番号の印刷を待つことなく、後の受付番号の印刷処理を行うことができ、効率良く写真印刷を行うことができる。
＜第２の実施形態＞
次に、本発明の第２の実施形態について説明する。
【００４８】
本例は「鍵札」の鍵穴挿入部分の形状を切り欠き状にし、鍵穴部を間違えて別の購入者の印刷を開始してしまわないようにする構成である。尚、前述の図１及び図２に示す写真購入システムの基本構成、前述の図３及び図４に示す受付端末装置１の基本構成、更に前述の図５及び図６に示すプリンタ装置２の基本構成は前述の実施形態と同じであり、同じ番号を使用して説明する。
図１２は本例で使用する「鍵札」の構成を示す図であり、同図（ａ）は「鍵札」の正面図であり、同図（ｂ）は「鍵札」の側面図である。本例で使用する「鍵札」の鍵穴挿入部分３４には異なる深さの凹凸が形成されている。この凹凸の形成は「鍵札」によって異なり、本例は鍵穴挿入部分の形状が異なる複数の「鍵札」を用意し、プリンタ装置２の鍵札挿入口に挿入して使用する構成である。尚、本例の「鍵札」にもクリップ３２が設けられ、前述と同じ役割を果たす。
【００４９】
一方、本例の場合、鍵札挿入口２２ａ〜２２ｄ内部の構成は、上記鍵穴挿入部分３４の凹凸形状を識別することができる構成である。尚、図１１に示す例では４個の鍵札挿入口２２ａ〜２２ｄを有するが、例えば１個の鍵札挿入口２２で対応することもできる。
【００５０】
本例の処理動作についても、前述の図７に示すフローチャートに従って処理が行われ、先ずユーザは受付端末装置１に近づき、メモリカードリーダ４に保有するカードを挿入し（Ｓ１）、操作表示部３に写真画像をサムネイル表示し、印刷を希望する写真画像の選択、及び印刷サイズ、印刷枚数を指定する（Ｓ２）。次に、印刷決定の指示を行い（Ｓ３）、受付端末装置１からレシートが発行される（Ｓ４）。
【００５１】
ユーザは受付端末装置１からレシートを受け取り、印刷料金を支払う為レシートを持ってレジカウンタに向かい（Ｓ５）、店員に料金を支払う（Ｓ６〜Ｓ１０）。ユーザは店員から「引き換え札」を渡され、写真印刷が完了するのを待つ（Ｓ１１）。また、店員はプリンタ装置２に向かい、「鍵札」を使用して鍵札挿入口２２ａ〜２２ｄに挿入し（Ｓ１２）、写真画像の印刷処理を行う。
【００５２】
本例においては、ここでレシートに記述されている通し番号の他、鍵穴番号もレシートに記述されており、レシートに指定の鍵穴番号に符合する「鍵札」を挿入しなければ印刷は開始されない。すなわち、プリンタ装置２では鍵札挿入口２２ａ〜２２ｄに挿入される「鍵札」と予め指定された受付番号とを比較し、一致している場合のみ印刷処理を行う。
【００５３】
したがって、このように構成することにより、複数のユーザが受付を行い印刷処理を待っている場合、誤って他人の写真画像を印刷することがない。また、本例のように鍵穴が４つの場合、例えば受付順に１〜４番までの番号を順繰りで発行すれば、連続する注文客の印刷物を取り違えて印刷することがない。
＜第３の実施形態＞
次に、本発明の第３の実施形態について説明する。
【００５４】
本実施例ではレシートにＲＦＩＤタグが装着されており、ＲＦＩＤタグの管理番号が印刷データと共に印刷装置に送られる構成である。ここで、ＲＦＩＤ（Ｒａｄｉｏ　Ｆｒｅｑｕｅｎｃｙ　ＩＤｅｎｔｉｆｉｃａｔｉｏｎ）タグは、上記購入情報を記録した半導体とアンテナを埋め込んだタグであり、非接触で情報の授受を行うことができる。
【００５５】
尚、前述の図１及び図２に示す写真購入システムの基本構成は同じであるが、ＲＦＩＤタグ発行機１１が使用される。図１３は受付端末装置の外観図である。同図に示すように、媒体出力部５はＲＦＩＤタグ発行部４１として機能する。
本例の処理動作も基本的には、前述の図７に示すフローチャートに従って処理が行われ、先ずユーザは受付端末装置１に近づき、メモリカードリーダ４に保有するカードを挿入し（Ｓ１）、操作表示部３に写真画像をサムネイル表示し、印刷を希望する写真画像の選択、及び印刷サイズ、印刷枚数を指定する（Ｓ２）。次に、印刷決定の指示を行い（Ｓ３）、ＲＦＩＤタグを発行する（Ｓ４）。
【００５６】
このタグには受付番号が登録され、ユーザは受付端末装置１からＲＦＩＤタグを受け取り、レジカウンタに向かい（Ｓ５）、店員に料金を支払う（Ｓ６〜Ｓ１０）。ユーザは店員から「引き換え札」を渡され、写真印刷が完了するのを待つ（Ｓ１１）。一方、店員はプリンタ装置２に向かい、上記ＲＦＩＤタグが付いたレシートをレシート挿入口に挿入し（Ｓ１２）、写真画像の印刷処理を行う。
【００５７】
図１４はプリンタ装置２に設けられた制御パネル２３の構成であり、タグ付きレシートの挿入口４２に上記レシートを挿入し、プリントを開始する。
このように構成することにより、「鍵札」を使用することなく、印刷開始を行うことが可能となる。そして、印刷装置２にそのＲＦＩＤタグ付きのレシートペーパの情報を読み込ませ、その埋め込まれた番号に対応する写真画像の印刷処理を開始する。
【００５８】
尚、印刷終了後の処理は前述の実施形態と同様であり、印刷終了を待つユーザに知らせ、印刷物を手渡す。
本例によれば、レシート自体にその表面に特別な印刷を施す必要がないため、リサイクルして使用することが可能である。また、ＰＯＳレジスタ（以下、単にＰＯＳレジで示す）での決済もＰＯＳレジにＲＦＩＤタグ番号を読み込む機能を用意し、そのＩＤ番号に対応する精算情報を印刷受付端末より取得すればよい。
【００５９】
印刷後においても、そのＲＦＩＤタグを受付端末に読み込ませることで、印刷した諸条件（枚数・金額・印刷時間・受付メディアの種類など）が表示装置に表示できる。
また、ＲＦＩＤタグはＩＣカード等に比較してコストが非常に安く、盗難・紛失や破損しても再発行にコストがかからない。
＜第４の実施形態＞
次に、本発明の第４の実施形態について説明する。
【００６０】
本実施例は、ＰＯＳレジにＲＦＩＤタグの読み取り装置を仕組むことが不可能か又は難しい場合、以下のような装置により解決させる構成である。
図１５は本例の構成を説明するシステム図である。本システムは受付端末装置１、ＰＯＳレジスタ４４、ＲＦＩＤタグ読取機４５で構成され、ＰＯＳレジスタ４４にはバーコードリーダ４６が配線を通して接続されている。また、受付端末装置１とＲＦＩＤタグ読取機４５はケーブルによって接続されている。
【００６１】
ＲＦＩＤタグ読取機４５にはＲＦＩＤタグの読取口４７が設けられ、ＲＦＩＤタグの読取口４７に挿入されたＲＦＩＤタグの情報を読み出す。また、表示部４８には、例えばバーコードが表示される。
ＲＦＩＤタグには受付番号のデータが記録され、ＲＦＩＤタグ読取機４５はＲＦＩＤタグがＲＦＩＤタグの読取口４７に装着されると、上記情報を読み出す。ＰＯＳレジスタ４４はバーコードリーダ４６を介して受付番号を知り、受付端末装置１にその受付番号を照会し、精算金額の情報を得る。
【００６２】
このように構成することにより、ユーザが料金の金額を入力する必要がなく、操作を誤ることがないとう利点がある。
尚、印刷の開始及び終了後の処理は前述の実施形態と同様であり、印刷終了を待つユーザに知らせ、印刷物を手渡す。
＜第５の実施形態＞
次に、本発明の第５の実施形態について説明する。
【００６３】
本実施例は、ＲＦＩＤタグに代えてＩＣカードを利用する構成であり、この利用例での利点は、ＲＦＩＤタグでは不可能なＩＣカード内にデータ書き込みができるという点である。印刷受付端末でＩＣカードを発行する際、金額情報、印刷情報を記録しておくことにより、ＰＯＳレジスタと印刷受付端末を接続しなくても精算する事が可能である。
【００６４】
また、カード形状であるため、印刷装置の印刷開始キーとしてそのまま利用することができる。図１６はプリンタ装置２に設けられた制御パネル２３の構成であり、ＩＣカードの挿入口４３に上記ＩＣカードを挿入し、プリントを開始する。
【００６５】
このように構成することにより、ＲＦＩＤタグを使用することなく、印刷開始を行うことが可能となる。そして、印刷装置２にＩＣカードの情報を読み込ませ、写真画像の印刷処理を行うことができる。
尚、印刷終了後の処理は前述の実施形態と同様であり、印刷終了を待つユーザに知らせ、印刷物を手渡す。
＜第６の実施形態＞
次に、本発明の第６の実施形態について説明する。
【００６６】
本実施形態では、上記ＩＣカードに代えて磁気カードを使用する構成である。尚、磁気記録材が塗布されている紙としても良い。
印刷受付端末で磁気カードを発行する際、受付番号、金額情報等を記録しておくことにより、ＰＳＯレジスタと印刷受付端末を接続しなくても精算することが可能である。例えば、図１７に示すように構成し、受付端末装置１で発行した磁気カードをバーコードリーダ４６に読ませ、ＰＯＳレジスタ４４に情報を送り、料金の精算を行うことができる。
【００６７】
また、本例もカード形状であるため、印刷装置の印刷開始キーとしてそのまま利用することができる。図１８はプリンタ装置２に設けられた制御パネル２３の構成であり、磁気カードの挿入口４９に上記磁気カードを挿入し、プリントを開始する。
【００６８】
このように構成することにより、ＩＣカードを使用することなく、印刷開始を行うことが可能となる。そして、印刷装置２に磁気カードの情報を読み込ませ、写真画像の印刷処理を行うことができる。
尚、印刷終了後の処理は前述の実施形態と同様であり、印刷終了を待つユーザに知らせ、印刷物を手渡す。
＜第７の実施形態＞
次に、本発明の第７の実施形態について説明する。
【００６９】
本実施形態では、上記ＩＣカード又は磁気カードの利用法として、単一ユーザ毎に個別のカードを配布し、当該ユーザが写真印刷販売を利用する際にポイントを付加し、ユーザに対するサービスカードとしての役割を果たし、更に印刷受付の履歴等を記録することで、ポイント割引といったサービスを提供する構成である。
【００７０】
例えば、カードの利用方法の手順は以下の通りである。先ず、利用客が受付端末装置１において写真受付を終了し、カードを挿入すると精算情報をカードに記録し、吐き出す。尚、この時利用客がカードを所持していなければ新しいカードを発行する。
【００７１】
次に、利用客はカードを持ってＰＯＳレジに行き、店員は例えばカードリーダにカードのデータを読み込ませ、カードリーダにバーコードを表示し、バーコードリーダで読み取る。この時、ポイント情報も表示し、ポイントが貯まっている場合、料金からポイント分を差し引く。
【００７２】
尚、図１９はカードリーダ４８に設けられたポイント加算スイッチであり、このスイッチを操作してポイントの加算を行う。
このように、利用客の購入枚数に従ってポイントを加算する仕組みとし、ポイントがある点数に達したとき、その分に応じて印刷料金を差し引くものとする。尚、予め設定したポイントに達した時、印刷料金を無料とする構成としてもよい。
＜第８の実施形態＞
次に、本発明の第８の実施形態について説明する。
【００７３】
本例は写真印刷を複数のユーザが注文した際、印刷物の切れ目を分かり易くする構成であり、例え複数のユーザが注文した印刷物が印刷物取出口に出力された場合でも印刷物を分別できるプリンタ装置である。以下、具体的に説明する。
図２０は本例のプリンタ装置５０の外観図であり、前述の写真購入システムに使用される。したがって、プリンタ装置５０は４箇所の札鍵挿入口５１ａ〜５１ｄを有し、液晶表示部５２、印刷物取出口５３、印刷終了音出力部５４を有する。尚、上記各部の機能は前述の説明通りである。
【００７４】
図２１はプリンタ装置５０の内部構成の一部を示す図であり、ロール５５に巻装された用紙Ｐの搬送構成を示すものである。ロール５５に巻装された用紙Ｐは、ロール５５の回転によって搬出され、画像形成部５６で印刷処理が施された後、カッタ５７によって切断される。切断された用紙は、案内板５８の位置によって、スタッカ５９、又はゴミ箱６０に回収される。例えば、案内板５８が点線位置にある場合用紙Ｐはスタッカ５９に出力され、案内板５８が実線位置にある場合用紙Ｐの切れ端はゴミ箱６０に回収される。尚、スタッカ５９の位置は前述のプリンタ装置５０の印刷物取出口５３に対応する。
【００７５】
次に、本例の具体的処理を以下に説明する。
先ず、プリンタ装置５０の駆動を開始し、ロール５５を回転して用紙Ｐを搬出し、画像形成部５６を制御して１枚目の印刷処理を行う。次に、案内板５８を点線位置に移動し、用紙Ｐの先頭についている不要部分をカッタ５７によってカットする。この時、切れ端は案内板５８が点線位置にある為スタッカ５９側に回収される。
【００７６】
次に、用紙Ｐが移動し所定位置まで移動すると、カッタ５７を駆動して用紙Ｐを所定のサイズにカットする。この処理によって１枚目の写真印刷が行われた用紙Ｐ１は前の切れ端と同じスタッカ５９に回収される。また、この時前の切れ端の上に、１枚目の写真印刷が行われた用紙Ｐ１が出力される。
【００７７】
次に、案内板５８を実線位置に移動し、２枚目の印刷処理を行う。そして、カッタ５７で２枚目の先頭に位置する不要部分をカットする。この時、案内板５８が実線位置にある為切れ端はゴミ箱６０に吐き出される。
次に、案内板５８を点線位置に戻し、用紙Ｐを所定のサイズにカットし、２枚目の写真印刷が行われた用紙Ｐ２をスタッカ５９に回収する。したがって、２枚目の写真印刷が行われた用紙Ｐ２は用紙Ｐ１上に出力される。
【００７８】
以下、同様にして案内板５８の位置を移動し、カッタ５７で不要部分のカットと、用紙Ｐの所定長の位置でのカットを交互に繰り返し、切れ端はゴミ箱６０に吐き出し、スタッカ５９には写真印刷された用紙Ｐを順次積層する。このように処理することにより、新規ユーザ毎に先頭に必ず切れ端が位置し、次に切れ端があるまでの印刷物は同じユーザのものである。
【００７９】
以上のように本例によれば、切れ端を利用して印刷ジョブの境を知ることができ、従来の印刷装置に簡単な機構取付、又はシーケンス変更を行うことによって、同じユーザの印刷物であることが容易に知ることができる。また、専用の選別機を使用することなく、省スペースな自動仕分け装置とすることができる。
＜第９の実施形態＞
次に、本発明の第９の実施形態について説明する。
【００８０】
本例も写真印刷を注文したユーザに対し、印刷物の切れ目を分かり易くする構成であり、特に本例では切れ端のサイズを通常の切れ端と違うサイズに切り離すことで、ゴミとなる切れ端が万一混ざってしまったとしても区別することができる構成である。
【００８１】
前述と同様、先ずプリンタ装置５０の駆動を開始し、ロール５５を回転して用紙Ｐを搬出し、画像形成部５６を制御して１枚目の印刷処理を行う。次に、案内板５８を点線位置に移動し、用紙Ｐの先頭についている不要部分をカッタ５７によってカットする。この時、本例では用紙先端を通常の切れ端とはっきりわかる違いの長さにカットする。図２２（ａ）は通常サイズの切れ端の長さを示し、同図（ｂ）は本例において、１枚目の写真印刷が行われる先頭の切れ端の長さを示す。本例において、先頭の切れ端の長さを通常の２倍の長さ（２Ｌ）とする。このようにして、カッタ５７によってカットされた切れ端（図２２（ｃ）参照）は前述と同様スタッカ５９側に回収される。
【００８２】
次に、用紙Ｐが移動し所定位置まで用紙Ｐが移動すると、カッタ５７を駆動して用紙Ｐを所定のサイズにカットし、この用紙Ｐ１を同じスタッカ５９に回収する。
以下、前述の処理と同様にして切れ端のカットと所定長でのカットを繰り返し、不要な切れ端はゴミ箱６０に吐き捨て、最初の切り端、及び写真印刷された用紙Ｐ１、Ｐ２、・・・をスタッカ５９に回収する。以上のように処理することによって、切れ端の長さが異なり、ゴミとなる切れ端が万一混ざったとしても容易に区別することができる。
＜第１０の実施形態＞
次に、本発明の第１０の実施形態について説明する。
【００８３】
本例も写真印刷を注文したユーザに対し、印刷物の切れ目を分かり易くする構成であり、特に本例では切れ端にヘッダ情報を印刷する構成である。本例では図２３に示すようにインクリボンの先頭に黒帯状のインク領域が存在するものを使用する。
【００８４】
先ず、用紙Ｐの先頭部分にインクリボンの黒帯状部分（図２３に示すａ）で印刷を行い、その後通常の印刷を行う。次に、インクリボンのイエロー（同図に示すｂ）を続けて印刷する。
次に、マゼンタ（同図に示すｃ）は、印刷開始ポイントを黒帯印刷ラインずらして印刷する。また、シアン（同図に示すｄ）も同様に印刷する。本例の特徴は、最初のイエローの印刷データの先頭に黒帯で印刷するデータを付加して連続的に印刷する点である。このように構成することによって、新規ＪＯＢの度にＪＯＢの先頭に必ず印刷が施された切れ端が出力されるため、ＪＯＢ間の切れ目を認識することが可できる。
【００８５】
図２４（ａ）、（ｂ）は、先頭の切れ端に先頭情報の印刷を行った後、切断する構成を説明するものである。同図（ｂ）に示すように、例えばジョブ番号、日付等を印刷することによって、ジョブの内容まで分かり、より有効な資料となる。
【００８６】
【発明の効果】
以上説明したように、本発明によれば出力された印刷物を挟持部で挟持し、保存することによって、当該受付番号のユーザに時間を経過して印刷物を渡しても誤って異なる印刷物を渡すことがない。
【００８７】
また、受付番号毎に写真画像の印刷を行うことができ、例え受付端末装置によって後に受付を行ったユーザの印刷であっても、先に印刷処理を行うことができる。
さらに、ＲＦＩＤタグやＩＣカード、磁気カードを使用して料金精算を効率良く行うことができる。
【図面の簡単な説明】
【図１】本実施形態の印刷販売システムのシステム構成図である。
【図２】本実施形態の印刷販売システムの構成を示す外観接続図である。
【図３】受付端末装置の外観図である。
【図４】受付端末装置の内部回路構成を説明する図である。
【図５】プリンタ装置の外観図である。
【図６】プリンタ装置の内部回路構成を説明する図である。
【図７】本実施形態の処理動作を説明するフローチャートである。
【図８】レシートの例を説明する図である。
【図９】「引き換え札」の例を説明する図である。
【図１０】（ａ）は「鍵札」の正面図を示し、（ｂ）は「鍵札」の側面図を示す。
【図１１】制御パネルの表示状態を示す図である。
【図１２】（ａ）は第２の実施形態の「鍵札」の正面図を示し、（ｂ）は第２の実施形態の「鍵札」の側面図を示す。
【図１３】第３の実施形態の受付端末装置の外観図である。
【図１４】第３の実施形態の制御パネルの表示例である。
【図１５】第４の実施形態のシステム構成図である。
【図１６】第５の実施形態の制御パネルの表示例である。
【図１７】第６の実施形態のシステム構成図である。
【図１８】第６の実施形態の制御パネルの表示例である。
【図１９】第７の実施形態のシステム構成図である。
【図２０】第８の実施形態を説明するシステム構成図である。
【図２１】プリンタ装置の内部構成の一部を示す図である。
【図２２】第９の実施形態を説明する図であり、（ａ）は通常サイズの切れ端の長さを示し、（ｂ）は１枚目の写真印刷が行われる先頭の切れ端の長さを示し、（ｃ）はスタッカ側に回収される切れ端を示す。
【図２３】第１０の実施形態を説明する図である。
【図２４】（ａ）は切断前も切れ端の印刷状態を示し、（ｂ）は切断後の状態を示す。
【符号の説明】
１　受付端末装置
２　プリンタ装置
３　操作表示部
３ａ　タッチＬＣＤ
４　メモリカードリーダ
４ａ〜４ｄ　カードアダプタ
５　媒体出力部
６　メインコントローラ
６ａ　内蔵ハードディスク（ＨＤＤ）
８　ＵＳＢ　ＨＵＢ（ｕｎｉｖｅｒｓａｌ　ｓｅｒｉａｌ　ｂｕｓ　ＨＵＢ）
１０　レシートプリンタ
１１　ＲＦＩＤタグ発行機
１２　ＩＣカード発行機
１３　磁気カード発行機
１４　スピーカ
１５　フロッピー（登録商標）ディスク（ＦＤＤ）
１６　ＣＤ−Ｒ（ＣＤ−ＲＷ）
１７　ＰＨＳ（ｐｅｒｓｏｎａｌ　ｈａｎｄｙ　ｐｈｏｎｅ　ｓｙｓｔｅｍ）
２０　スイッチング電源
２１　ブレーカ
２２ａ〜２２ｄ　鍵札挿入口（鍵穴部）
２３　液晶表示部
２４　印刷物取出口
２５　印刷終了音出力部
２６　メインコントローラ
２６ａ　内蔵ＨＤＤ
２７ａ、２７ｂ　写真プリンタ
２８ａ、２８ｂ　ファン
２９　スイッチング電源
３０　ブレーカ
３２　クリップ
３４　鍵穴挿入部分
４２　挿入口
４４　ＰＯＳレジスタ
４５　ＲＦＩＤタグ読取機
４６　バーコードリーダ
４７　読取口
４８　表示部
４９　挿入口
５０　プリンタ装置
５１ａ〜５１ｄ　札鍵挿入口
５２　液晶表示部
５３　印刷物取出口
５４　印刷終了音出力部
５５　ロール
５６　画像形成部
５７　カッタ
５８　用紙案内板
５９　スタッカ
６０　ゴミ箱
【図１】
2004005064.tif 000003
【図２】
2004005064.tif 000004
【図３】
2004005064.tif 000005
【図４】
2004005064.tif 000006
【図５】
2004005064.tif 000007
【図６】
2004005064.tif 000008
【図７】
2004005064.tif 000009
【図８】
2004005064.tif 000010
【図９】
2004005064.tif 000011
【図１０】
2004005064.tif 000012
【図１１】
2004005064.tif 000013
【図１２】
2004005064.tif 000014
【図１３】
2004005064.tif 000015
【図１４】
2004005064.tif 000016
【図１５】
2004005064.tif 000017
【図１６】
2004005064.tif 000018
【図１７】
2004005064.tif 000019
【図１８】
2004005064.tif 000020
【図１９】
2004005064.tif 000021
【図２０】
2004005064.tif 000022
【図２１】
2004005064.tif 000023
【図２２】
2004005064.tif 000024
【図２３】
2004005064.tif 000025
【図２４】
2004005064.tif 000026